【手続補正書】
【提出日】平成28年9月12日(2016.9.12)
【手続補正１】
【補正対象書類名】特許請求の範囲
【補正対象項目名】全文
【補正方法】変更
【補正の内容】
【特許請求の範囲】
【請求項１】
検体に第１の物質が含まれるかを判定するためのセンサであって、
基体と、
前記基体の表面に、過酸化水素と反応して切断される結合を有する第２の物質が固定化されている検出部と、
前記第１の物質との反応によって前記過酸化水素を生成する酵素に接触させた前記検体が流れる流路と、を備え、
前記流路の内部に、前記基体及び前記検出部が設けられている、センサ。
【請求項２】
前記酵素は、前記検出部に対向する流路の領域に付着している、請求項１に記載のセンサ。
【請求項３】
前記酵素は、前記検体の流入口から前記基体表面上に延びる溝部に付着している、請求項１または２に記載のセンサ。
【請求項４】
前記第２の物質は、前記結合が切断されることによって前記検出部から分離される分離部分にナノ粒子をさらに有する、請求項１乃至３のいずれか１項に記載のセンサ。 
【請求項５】
前記第２の物質は、前記結合を含むボロン酸エステルを有し、且つ、前記結合が切断されることによって前記検出部から分離される分離部分にボロン酸を有する、請求項１乃至４のいずれか１項に記載のセンサ。 
【請求項６】
前記第２の物質は、前記結合が切断されることによって前記検出部から分離される分離部分にホウ素原子を含む、請求項１乃至５のいずれか１項に記載のセンサ。
【請求項７】
前記基体の前記表面の状態は、前記検体に前記第１の物質が含まれると変化する、請求項１乃至６のいずれか１項に記載のセンサ。
【請求項８】
検体に第１の物質が含まれるかを判定するためのセンサであって、
基体と、
前記基体の表面に、過酸化水素と反応して切断される結合を有する第２の物質が固定化されている第１検出部と、
前記基体の表面に、前記第２の物質が固定化されていない第２検出部と、を備え、
前記第１の物質との反応によって前記過酸化水素を生成する酵素に接触させた前記検体が前記第１検出部及び前記第２検出部に導入される、センサ。
【請求項９】
前記基体の表面上に、酵素電極をさらに備える、請求項８に記載のセンサ。
【請求項１０】
検体に第１の物質が含まれるかを判定するためのセンサであって、
基体と、
前記基体の表面に、過酸化水素と反応して切断される結合を有する第２の物質が固定化されている検出部と、
前記検体が流入する流入口を備える流路であって、当該流路の内部とセンサの外部とを連通する貫通孔を有する流路と、を備え、
前記検出部は、前記流路の内部、かつ、前記流入口と前記貫通孔との間に設けられている、センサ。
【請求項１１】
流路の内壁は、水との接触角が３０度以下である、請求項１０に記載のセンサ。
【請求項１２】
前記検出部は、当該検出部の厚さと略同一の深さを有する、流路内に設けられた凹部に配置されている、請求項１０または１１に記載のセンサ。
【請求項１３】
複数の前記検出部を備え、
前記凹部は、複数の前記検出部ごとに一つ設けられている、請求項１２に記載のセンサ。
【請求項１４】
複数の前記検出部を備え、
前記凹部は、複数の前記検出部すべてを収容可能である、請求項１２に記載のセンサ。
【請求項１５】
前記基体は、
上面に配置された第１カバー部材と、
前記第１カバー部材に前記基体を覆うように接合された第２カバー部材と、をさらに有し、
前記第１カバー部材および前記第２カバー部材の少なくとも一方は、前記流入口及び前記流入口から少なくとも前記検出部まで延びた溝部を有する、請求項１２乃至１４のいずれか１項に記載のセンサ。 
【請求項１６】
前記第１カバー部材は、上面に前記基体を収容する前記凹部を有し、
前記第２カバー部材は、前記溝部を有する、請求項１５に記載のセンサ。 
【請求項１７】
前記基体の表面に位置しており、前記検出部に向かって伝搬する弾性波を発生させる第１ＩＤＴ（InterDigital  Transducer）電極と、
前記基体の表面に位置しており、前記検出部を通過した前記弾性波を受信する第２ＩＤＴ電極と、をさらに備える、請求項１０乃至１６のいずれか１項に記載のセンサ。 
【請求項１８】
前記基体の上面に接合され、且つ前記基体の前記上面との間に密閉された第１振動空間を有している第１接合部材と、
前記基体の上面に接合され、且つ前記基体の前記上面との間に密閉された第２振動空間を有している第２接合部材と、をさらに備え、
前記第１振動空間は前記第１ＩＤＴ電極上に位置しており、且つ、前記第２振動空間は前記第２ＩＤＴ電極上に位置している、請求項１７に記載のセンサ。 
【請求項１９】
第１の物質との反応によって過酸化水素を生成する酵素に接触させた検体が流れる流路と、当該流路の内部に、基体と、当該基体の表面に設けられ、前記過酸化水素と反応して切断される結合を有する第２の物質が固定化された検出部と、を有するセンサを準備する準備工程と、
第１の物質との反応によって前記過酸化水素を生成する酵素に接触させた検体を、前記センサの前記検出部と接触させる接触工程と、
前記接触工程によって生じる前記第２の物質の前記結合の切断を検出することによって、前記検体に前記第１の物質が含まれるかを検出する検出工程と、を備える検体に第１の物質が含まれるかを判定するための検出方法。 
【請求項２０】
検体に第１の物質が含まれるかを判定するための検出システムであって、
第１の物質との反応によって過酸化水素を生成する酵素に接触させた検体が流れる流路と、当該流路の内部に、基体と、当該基体の表面に設けられ、前記過酸化水素と反応して切断される結合を有する第２の物質が固定化された検出部と、を有するセンサと、
前記第１の物質との反応によって前記過酸化水素を生成する酵素に接触させた前記検体を、前記センサの前記検出部と接触させて、前記第２の物質の前記結合の切断を検出することによって、前記検体に前記第１の物質が含まれるかを検出する、検出装置と、を備える検出システム。
【請求項２１】
基体の表面に、過酸化水素と反応して切断される結合を有する第２の物質が固定化された第１検出部と、前記基体の表面に、前記第２の物質が固定化されていない第２検出部と、を有するセンサを準備する準備工程と、
第１の物質との反応によって前記過酸化水素を生成する酵素に接触させた検体を、前記センサの前記第１検出部および前記第２検出部と接触させる接触工程と、
前記接触工程によって生じる前記第２の物質の前記結合の切断を前記第１検出部および前記第２検出部の各々について検出することによって、前記検体に前記第１の物質が含まれるかを検出する検出工程と、を備える検体に第１の物質が含まれるかを判定するための検出方法。 
【請求項２２】
検体に第１の物質が含まれるかを判定するための検出システムであって、
基体の表面に、過酸化水素と反応して切断される結合を有する第２の物質が固定化された第１検出部と、前記基体の表面に、前記第２の物質が固定化されていない第２検出部と、を有するセンサと、
前記第１の物質との反応によって前記過酸化水素を生成する酵素に接触させた前記検体を、前記センサの前記第１検出部および前記第２検出部と接触させて、前記第２の物質の前記結合の切断を前記第１検出部および前記第２検出部の各々について検出することによって、前記検体に前記第１の物質が含まれるかを検出する、検出装置と、を備える検出システム。 
【請求項２３】
検体が流入する流入口を備える流路であって、当該流路の内部とセンサの外部とを連通する貫通孔を有する流路の内部、かつ、前記流入口と前記貫通孔との間、かつ、基体の表面に、過酸化水素と反応して切断される結合を有する第２の物質が固定化された検出部を有するセンサを準備する準備工程と、
第１の物質との反応によって前記過酸化水素を生成する酵素に接触させた検体を、前記センサの前記検出部と接触させる接触工程と、
前記接触工程によって生じる前記第２の物質の前記結合の切断を検出することによって、前記検体に前記第１の物質が含まれるかを検出する検出工程と、を備える検体に第１の物質が含まれるかを判定するための検出方法。 
【請求項２４】
検体に第１の物質が含まれるかを判定するための検出システムであって、
前記検体が流入する流入口を備える流路であって、当該流路の内部とセンサの外部とを連通する貫通孔を有する流路の内部、かつ、前記流入口と前記貫通孔との間、かつ、基体の表面に、過酸化水素と反応して切断される結合を有する第２の物質が固定化された検出部を有するセンサと、
前記第１の物質との反応によって前記過酸化水素を生成する酵素に接触させた前記検体を、前記センサの前記検出部と接触させて、前記第２の物質の前記結合の切断を検出することによって、前記検体に前記第１の物質が含まれるかを検出する、検出装置と、を備える検出システム。
【手続補正２】
【補正対象書類名】明細書
【補正対象項目名】発明の名称
【補正方法】変更
【補正の内容】
【発明の名称】センサ、検出方法、及び、検出システム